(57)【要約】      （修正有）【課題】本発明は、カップ部を有する内衣と外衣とで異なる横幅寸法によって、外衣のデザイン性が自由であり、かつ、着用が容易なカップ付き衣類を提供する。【解決手段】本発明のカップ付き衣類は、バスト部を覆う左右一対のカップ部材６を有する内衣２と身頃部を有する外衣１とが、前記の外衣１の内側の少なくとも一部で前記の内衣２と縫着されてなる衣類であって、前記の内衣２の上部と前記の外衣１の袖ぐり部２０の一部が縫着され、前記の内衣の脇部２２と前記の外衣の脇部２１とがマチ布部材１１を介して縫着されているカップ付き衣類である。【選択図】図１
2019148017.tif 000002
【特許請求の範囲】
【請求項１】
バスト部を覆う左右一対のカップ部材を有する内衣と身頃部を有する外衣とが、前記外衣の内側の少なくとも一部で前記内衣と縫着されてなる衣類であって、前記内衣の上部と前記外衣の袖ぐり部の一部が縫着され、前記内衣の脇部と前記外衣の脇部とがマチ布部材を介して縫着されていることを特徴とするカップ付き衣類。
【請求項２】
外衣は、前身頃および後身頃を左右脇部で縫着した身頃部、および前記身頃部の左右上部に設けられる袖部で構成されることを特徴とする請求項１記載のカップ付き衣類。
【請求項３】
内衣の脇部と前記外衣の脇部とを接続するマチ布部材の横幅寸法が、３．７５ｃｍ以上１５ｃｍ以下であることを特徴とする請求項１または２記載のカップ付き衣類。
【請求項４】
内衣のカップ上部布部材と、前記内衣の背布部材とが、前記外衣の袖ぐり部の一部の別々の位置または同位置に縫着されていることを特徴とする請求項１から３のいずれかに記載のカップ付き衣類。
【請求項５】
内衣の前部上部布部材および背布部材は、伸縮性を有する素材で構成されることを特徴とする、請求項１から４のいずれかに記載のカップ付き衣類。
【発明の詳細な説明】
【技術分野】
【０００１】
本発明は、カップ部を有する内衣を備えたカップ付き衣類に関するものである。
【背景技術】
【０００２】
女性用衣類の中には、カップ部を有する内衣を備えた袖付きシャツ、タンクトップおよびキャミソールという衣類がある。このような衣類は、カップ部を有する内衣がバストを保形するため、ブラジャー無しでも着用できることから、楽な着心地の衣類を提供する（特許文献１参照。）。
【０００３】
このような衣類は、例えば、カップ部を有する内衣と、袖付きシャツ、タンクトップおよびキャミソールのような外衣とを、肩部、袖部および衿部で縫着し、カップ部を有する内衣はバストを保形するため体型に沿った横幅寸法であり、外衣の横幅寸法も内衣と同じであるため外衣も身体に沿ったラインとなり、外衣のデザイン性の自由度が制限されるという課題があった。
【０００４】
また、内衣と外衣とを、異なる横幅寸法で作成し、外衣はゆとりをもたせて、内衣はバストを保形するため体型に沿った横幅寸法とした衣類も提案されている（特許文献２参照。）。この提案の衣類は、外衣と内衣の横幅寸法の差異を解消するため、内衣は外衣の肩部と衿部、または肩部のみ、または衿部のみ、で縫着されているため、内衣は外衣に吊るされた形状となる。しかしながら、このような形状の衣類は、内衣と外衣の縫着部分が少なく、内衣と外衣がばらばらになり、着用しにくいという課題があった。
【先行技術文献】
【特許文献】
【０００５】
【特許文献１】特開２０００−１４４５０３号公報
【特許文献２】中国特許公開１０１０４０７３０号公報
【発明の概要】
【発明が解決しようとする課題】
【０００６】
そこで本発明の目的は、上記従来技術の課題を解消することを目的とし、カップ部を有する内衣と外衣とで異なる横幅寸法によって、外衣のデザイン性が自由であり、かつ、着用が容易なカップ付き衣類を提供することにある。
【課題を解決するための手段】
【０００７】
本発明は、上記の課題を解決せんとするものであり、本発明のカップ付き衣類は、バスト部を覆う左右一対のカップ部材を有する内衣と身頃部を有する外衣とが、前記の外衣の内側の少なくとも一部で前記の内衣と縫着されてなる衣類であって、前記の内衣の上部と前記の外衣の袖ぐり部の一部が縫着され、前記の内衣の脇部と前記の外衣の脇部とがマチ布部材を介して縫着されていることを特徴とするカップ付き衣類である。
【０００８】
本発明のカップ付き衣類の好ましい態様によれば、前記の内衣は、バスト部を覆うカップ部材、および前記のカップ部材の上部と外衣の袖ぐり部の一部に縫着される前部上部布部材、および前記のカップ部材を下部で連結する土台布部材、および前記のカップ部材の両脇部に左右一対で設けられる脇布部材、および前記の脇布部材のカップ部材側と逆の両端に接続して人体の背部を覆いながら外衣の袖ぐり部の一部に縫着される背布部材で構成されていることである。
【０００９】
本発明のカップ付き衣類の好ましい態様によれば、前記の外衣は、前身頃および後身頃を左右脇部で縫着した身頃部、および前記の身頃部の左右上部に設けられる袖部で構成されていることである。
【００１０】
本発明のカップ付き衣類の好ましい態様によれば、前記の内衣の脇部と前記の外衣の脇部とを接続するマチ布部材の横幅寸法が、３．７５ｃｍ以上１５ｃｍ以下であることである。
【００１１】
本発明のカップ付き衣類の好ましい態様によれば、前記の内衣のカップ上部部材と前記の内衣の背布部材とは、前記の外衣の袖ぐり部の一部の別々の位置または同位置に縫着されていることである。
【００１２】
本発明のカップ付き衣類の好ましい態様によれば、前記の内衣の前部上部布部材および背布部材は、伸縮性を有する素材で構成されていることである。
【発明の効果】
【００１３】
本発明によれば、外衣と内衣とが、外衣の袖ぐり部の一部で縫着され、かつ、外衣の脇部で横幅寸法、形状を自由に設定できるマチ布部材を介して内衣と接続するため、バストを保形するために体型に沿った横幅寸法である内衣に制限されることなく、外衣を自由な形にデザインすることが可能なカップ付き衣類が得られる。
【００１４】
本発明のカップ付き衣類によれば、アウターとは別にブラジャーを着用する必要が無く、また、アウターのデザインとして、例えば、Ａラインのワンピースやゆとりを持たせたＴシャツなど、自由なデザインの衣類が得られる。
【００１５】
また、本発明のカップ付き衣類は、内衣の脇布部材と外衣の脇部がマチ布部材を介して接続されているため、外衣の上部のみで接続されて内衣が吊るされた状態の従来製品と比較して、内衣と外衣とが完全に分離することがなく、着用時に腕を通す位置を間違えることがないため、容易な着用が可能である。
【図面の簡単な説明】
【００１６】
【図１】図１は、本発明のカップ付き衣類の一実施様態を例示する正面図（Ａ）および背面図（Ｂ）である。
【図２】図２は、本発明で用いられる内衣の一実施様態を例示する正面図（Ａ）および背面図（Ｂ）である。
【図３】図３は、本発明で用いられる袖ぐり縫着部の一実施様態を例示する斜視図である。
【図４】図４は、本発明で用いられる脇部マチ布部の一実施様態を例示する斜視図である。
【図５】図５は、本発明とは別の衣類の一実施様態を例示する背面図である。
【発明を実施するための形態】
【００１７】
本発明のカップ付き衣類は、バスト部を覆う左右一対のカップ部材を有する内衣と身頃部を有する外衣とが、前記の外衣の内側の少なくとも一部で前記の内衣と縫着されてなる衣類であって、前記の内衣の上部と前記の外衣の袖ぐり部の一部が縫着され、前記の内衣の脇部と前記の外衣の脇部とがマチ布部材を介して縫着されているカップ付き衣類である。
【００１８】
すなわち、本発明のカップ付き衣類は、バスト部を覆う左右一対のカップ部材を有する内衣と、前身頃と後身頃で構成される外衣とを、前記の外衣の袖ぐり部の一部と前記の外衣の脇部で縫着するカップ付き衣類であって、前記の外衣の脇部はマチ布部材を介して縫着されているカップ付き衣類である。
【００１９】
次に、本発明の実施様態について、図面を参照して説明する。
【００２０】
図１は、本発明のカップ付き衣類の一実施様態を例示する正面図（Ａ）および背面図（Ｂ）であり、外衣１にいわゆるＴシャツを適用し、Ｔシャツの内面にカップ部材６を有する内衣２が設けられ、外衣１と内衣２は、外衣１の袖ぐり部２０の一部と、外衣の脇部２１でマチ布部材１１を介して、内衣１の脇布部材９の脇部２２と縫着されている。
【００２１】
本発明のカップ付き衣類は、左右一対のカップ部材６を有する内衣２を外衣１の内面に設けた、Ｔシャツ、長袖シャツ、ポロシャツ、ワンピースおよびカットソーなどをいい、外衣１は袖付き衣料が好適である。
【００２２】
外衣１は、前身頃３、後見頃４および左右一対の袖部５で構成され、前身頃３と後見頃４は左右の外衣の脇部２１で縫着され、左右の外衣の脇部２１で縫着された身頃部１３の左右上端に袖部５が設けられ、前記の身頃部１３の上端中央に衿部１２が設けられる。
【００２３】
外衣１と内衣２とは横幅寸法が異なり、内衣２は身体にフィットする寸法であり、外衣１はゆとりを持たせた寸法であるものを、外衣の脇部２１でマチ布部材１１を介して縫着されている。外衣１は、内衣２と同じように身体のラインに沿った横幅寸法で設定することもできるが、身体のラインが出ないように横幅寸法にゆとりを持たせ、外衣１のデザインを自由なラインに設定することが好ましい態様である。
【００２４】
外衣１の素材は、内衣２に比べて好適には伸縮性の低い素材が用いられ、外衣１の素材としては、綿、ポリエステル繊維、アクリル繊維およびレーヨン等の柔らかいニット素材や布帛素材が好ましく用いられる。
【００２５】
図２は、本発明で用いられる内衣２の一実施様態を例示する正面図（Ａ）および背面図（Ｂ）である。
【００２６】
すなわち、図２は内衣２の説明のため、外衣１の内側から内衣２を抜き出した状態の正面図（Ａ）および背面図（Ｂ）である。実際は、外衣１と内衣２は、図１で示したように外衣１の袖ぐり部２０および外衣の脇部２１で縫着されているため分離しない。
【００２７】
内衣２は、着用者のバスト部を覆うように形成された左右一対のカップ部材６、およびそのカップ部材６の上縁に接合し、着用者のバスト上部を覆う前部上部布部材７およびカップ部材６の下縁に接合し、左右のカップ部材６を下部で連結する土台布部材８およびカップ部材脇縁３４に接合し、左右一対で設けられる脇布部材９およびその脇布部材９のカップ部材側と逆側の縁に接合し、着用者の背中部を覆う背布部材１０から構成される。また、前部上部布部材７の左右の上縁２４と背布部材１０の左右の上縁２５は接合されているが、これらを接合させずに、外衣の袖ぐり部２０の別々の位置に接合させることもできる。
【００２８】
内衣２に使用する素材は、バストを保形し身体にフィットさせるため、高伸縮性を有する素材が好ましく使用される。具体的には、ポリアミド繊維、ポリエステル繊維、ポリウレタン繊維およびアクリル繊維等のパワーネット素材や、ニット素材が好ましく用いられる。また、カップ部材６の下部で左右のカップ部材６を連結する土台布部材８は、バスト部を保形するため、低伸縮性素材もしくは非伸縮性素材を使用することができる。
【００２９】
内衣２の前部上部布部材７は、着用者ごとに異なるバスト部の高さにカップ部材を沿わせるため、高伸縮性の素材を使用することが好ましい。前部上部布部材７は、着用者のバスト部上部を覆う生地を示すが、その生地の代わりに、カップ部材上縁２６から外衣の袖ぐり部２０に接合させる部材は、ストラップテープのような部材を用いることができる。
【００３０】
内衣２の背布部材１０は、着用者によって異なる背中部の高さに沿わせるため、高伸縮性の素材を使用することが好ましい。背布部材１０は、着用者の背中部を覆う生地を示すが、背布部材１０を着用者の背中部途中高さまでとし、背中部途中から外衣の袖ぐり部１０に接合する素材は、ストラップテープのような部材を用いることができる。
【００３１】
内衣２のカップ部材６は、通常のブラジャーのカップ部と同様に、着用者のバスト部の隆起に沿った立体形状とする。カップ部材６の素材は、モールド加工によって成型したウレタン素材が好ましく用いられる。また、カップ部材の裏表面には、伸縮性の高い生地が重ねられ、３層構造とすることが好ましい態様である。
【００３２】
内衣２を上記のような構成とすることにより、内衣２にフィット性を持たせ、バスト部を安定して保形するブラジャー同様の機能を保持させることができる。
【００３３】
内衣２の土台布部材８の下縁２７および前部上部布部材７の上縁２８と左右の前部上部布部脇縁２９および左右の脇布部材９の脇縁３０および背布部材１０の左右の脇縁３１と上縁３２は、身体にフィットさせるため高伸縮性のマイクロテープ素材で挟みこみ、縫着することが好ましい態様である。
【００３４】
図３は、本発明で用いられる袖ぐり縫着部の一実施様態を例示する斜視図である。
【００３５】
図３は、外衣１の袖ぐり部２０に、内衣２の前部上部布部材７の上縁２４と、内衣２の背布部材１０の上縁２５を接合する位置を示すものである。袖ぐり部２０は、外衣１の身頃部１３と外衣１の袖部５を接合し、接合にはオーバーロックミシンを使用しての縫着が好ましい態様である。オーバーロックミシンは、縫着部が通常５ｍｍ巾の縫い目で形成され、袖部を接合したのち、袖ぐり全体に縫い目が形成される。
【００３６】
外衣１の身頃部１３と外衣１の袖部５を接合した縫い目は、袖ぐり全体に形成され、その縫い目の自由な位置に、内衣２の前部上部布７の上縁２４と、内衣２の背布部材１０の上縁２５を接合させる。接合させる位置は、外衣１の袖ぐり部２０の上部、例えば、肩接ぎ部３３に近い位置が好ましい。
【００３７】
内衣２の前部上部布部材７の上縁２４と、内衣２の背布部材１０の上縁２５とを５ｍｍ重ねて縫着させたのち、外衣１の袖ぐり部２０の一部に縫着させることが好ましい。
【００３８】
例えば、内衣２の前部上部布部材７の上縁２４を、外衣１の袖ぐり部２０の前身頃３側の自由な位置に接合し、内衣２の背布部材１０の上縁２５を、外衣１の袖ぐり部２０の後見頃４側の自由な位置に接合しても、内衣２の機能を保持することができる。また、袖ぐり部２０の接合位置を自由に設定できることにより、内衣２の取り付け高さを調整することができる。例えば、着用者の加齢による体形変化によってバスト位置が下がった場合にも、内衣２の高さを下げることによって、内衣２のカップ部材６の位置が着用者のバスト部位置に適した設計にすることができる。
【００３９】
内衣２は、外衣１の袖ぐり部２０の一部に縫着され、縫着される位置は袖ぐり内の自由な位置で良いが、低い位置であれば着用時に内衣２の袖部２３に腕を通しにくいため、高い位置での縫着が好ましい。
【００４０】
内衣２の前部上部布部材７と背布部材１０と外衣１の袖ぐり部２０の縫着位置は、外衣１の袖ぐり部内であれば前部上部布部材７と背布部材１０とは別々の位置に縫着してもよいが、外衣１の袖ぐり部内の同じ位置で縫着されることが好ましい態様である。
【００４１】
図４は、本発明で用いられる脇部マチ布部の一実施様態を例示する斜視図である。
【００４２】
図４は、外衣１の脇部２１と内衣２の脇布部材９とを縫着させるマチ布部材１１の、位置と形状を示すものである。例えば、内衣２の脇布部材９と外衣１の脇部２１の距離間寸法と、マチ布部材１１の横幅寸法を同一に設定し、また、例えば、外衣１の脇部２１の角度と、マチ布部材１１の外側のラインの角度を同一に設定し、マチ布部材１１の高さを自由に設定すると、マチ布部材１１は、内衣２と外衣１とを脇部で接続するに際し好ましい形状となる。
【００４３】
内衣２の脇布部２２と外衣１の脇部２１とを接続するマチ布部材１１の横幅寸法は、外衣１の横幅寸法と内衣２の横幅寸法の差寸を補って、外衣１と内衣２を接続するものである。
【００４４】
内衣２の脇部２２と前記の外衣１の脇部２１とを接続するマチ布部材１１の横幅寸法は、好ましくは３．７５ｃｍ以上１５ｃｍ以下である。
【００４５】
マチ布部材１１の横幅寸法が３．７５ｃｍ以上１５ｃｍ以下であれば、外衣１の横幅寸法にゆとりを持たせることが可能であるため外衣１のデザイン性が制限されず、内衣２が安定した状態であるため着用が容易であり、かつ、ＪＩＳ Ｌ ４００６−１９９８におけるカップ体型区分の最少区分であるＡＡカップから最大区分のＩカップまでの体型を網羅する衣類となる。
【００４６】
また、マチ布部材１１の横幅寸法が３．７５ｃｍ未満であれば、外衣１の横幅寸法と内衣２の横幅寸法の差寸が小さいことを表し、外衣１の横幅寸法は内衣２の横幅寸法と近しい横幅寸法であり、外衣１は内衣２と同じく身体に沿ったラインとなるため、外衣１のデザイン性の自由度が制限される。
【００４７】
また、マチ布部材１１の横幅寸法が１５ｃｍを超えると、外衣１の横幅寸法と内衣２の横幅寸法の差寸以上の寸法であり、マチ布部材１１はたるんだ状態となり、外衣１と内衣２が完全に分離することはないものの内衣２は不安定な状態となるため、着用時に腕を通す位置を間違える可能性があり、容易な着用ができなくなる。
【００４８】
図５は、本発明とは別の従来の衣類の一実施様態を例示する正面図である。
【００４９】
図５は、外衣１と内衣２とを脇部２１で縫着せず、外衣１の袖ぐり部２０の一部のみで縫着したものを示す背面図である。内衣２が、外衣１の袖ぐり部２０から吊るされたような状態のため、内衣２は位置が定まらず、着用時に腕を通す際、内衣２が外衣１の衿部１２から飛び出す可能性があることを示す。
【実施例】
【００５０】
次に、本発明のカップ付き衣類について、実施例を挙げて詳細に説明する。
【００５１】
内衣は、ウレタンで成型した左右一対のカップ部材と、伸縮性を有する素材であるパワーネットを用いた前部上部布部材および土台布部材および脇布部材および背布部材と、前部上部布部材の上縁と脇縁および土台布部材の下縁および背布部材の上縁と脇縁および脇布部材の脇縁と下縁を、二つ折りで覆い縫着するマイクロテープで構成した（図２参照。）。
【００５２】
内衣の横幅寸法は、バストを保形するため身体にフィットする寸法とした。具体的には、内衣のアンダー部を３２ｃｍとした。
【００５３】
外衣は、織物を用いた前身頃と後見頃を有する身頃部および左右袖部で構成した。前身頃と後見頃を、オーバーロックミシンを用いて左右脇部で縫着した身頃部の裾部は、身頃下縁を２ｃｍ折り返して偏平縫いミシンを用いて縫着した。
【００５４】
身頃部の上部に設けられる左右一対の袖部の下縁を２ｃｍ折り返して偏平縫いミシンを用いて縫着した。
【００５５】
身頃部と左右一対の袖部は、オーバーロックミシンを用いて縫着した。身頃部の衿部は、テープ状に裁断して二つ折りした身頃生地を衿部全周にオーバーロックミシンを用いて縫着した。また、衿部全周に形成されたオーバーロックミシンの縫い目の上を、偏平縫いミシンで押え縫いした。身頃部の横幅寸法は、身体にフィットさせずに、ゆとりを持たせた横幅寸法である４６ｃｍとした（図１参照。）。
【００５６】
内衣の前部上部布部材の上縁と、内衣の背布部材の上縁とを、左右それぞれ、閂止めミシンを用いて縫着した。その際の重ね量を５ｍｍとした。内衣の前部上部布部材の上縁と、内衣の背布部材の上縁とを重ね合わせた部位を、外衣の袖ぐり部と肩接ぎ部が交わる点を中心として、中心から前後に２．５ｃｍずつの距離を、本縫いミシンを用いて縫着した。すなわち、前部上部布部材と背布部材は、外衣の袖ぐり部の一部の同位置に縫着した（図３参照。）。
【００５７】
内衣の脇部と、外衣の脇部とを接続する左右一対のマチ布部材は、パワーネットを用いて構成した。内衣の脇部と、外衣の脇部とを接続するマチ布部材の形状は、横幅寸法を６ｃｍとし、縦幅寸法を９ｃｍとした長方形とした。
【００５８】
内衣の脇部とマチ布部材の接続および外衣の脇部とマチ布部材の接続には、本縫いミシンを用いて縫着した（図４参照。）。
【００５９】
このようにして得られたカップ付き衣類は、外衣にゆとりをもたせたデザインであり、着用する際には、まず腕を内衣の袖ぐり部に通し、次に腕を外衣の袖ぐり部に通す順番であるが、内衣が脇部で外衣と接続されているため遊離せず、楽に内衣の袖部に腕を通すことができ、また、外衣の袖部が内衣で隠れることなく目視できることから、外衣の袖部にも腕を通しやすく着用しやすいことが実証できた。
【符号の説明】
【００６０】
１：外衣
２：内衣
３：前身頃
４：後身頃
５：袖部
６：カップ部材
７：前部上部布部材
８：土台布部材
９：脇布部材
１０：背布部材
１１：マチ布部材
１２：衿部
１３：身頃部
２０：袖ぐり部
２１：外衣の脇部
２２：内衣の脇部
２３：内衣袖部
２４：前部上部布部材の上縁
２５：背布部材の上縁
２６：カップ部材上縁
２７：土台布下縁
２８：前部上部布上縁
２９：前部上部布脇縁
３０：脇布脇縁
３１：背布脇縁
３２：背布上縁
３３：肩接ぎ部
３４：カップ部材脇縁
【図１】
2019148017.tif 000003
【図２】
2019148017.tif 000004
【図３】
2019148017.tif 000005
【図４】
2019148017.tif 000006
【図５】
2019148017.tif 000007
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
バスト部を覆う左右一対のカップ部材、そのカップ部材の上縁に接合し、着用者のバスト上部を覆う前部上部布部材、前記カップ部材の下部で連結する土台布部材および前記カップ部材脇縁に左右一対で設けられる脇布部材およびその脇布部材のカップ部材側と逆側の縁に接合する着用者の背中部を覆う背布部材を有する内衣と身頃部を有する外衣とが、前記内衣の上部と前記外衣の袖ぐり部の内側の一部で縫着されてなり、前記外衣と前記内衣とは横幅寸法が異なる衣類であって、前記内衣の脇部と前記外衣の脇部とが前記外衣の横幅寸法と前記内衣の横幅寸法の差寸を補なう横幅寸法を有するマチ布部材を介して縫着されていることを特徴とするカップ付き衣類。
【請求項２】
外衣は、前身頃および後身頃を左右脇部で縫着した身頃部、および前記身頃部の左右上部に設けられる袖部で構成されることを特徴とする請求項１記載のカップ付き衣類。
【請求項３】
内衣の脇部と前記外衣の脇部とを接続するマチ布部材の横幅寸法が、３．７５ｃｍ以上１５ｃｍ以下であることを特徴とする請求項１または２記載のカップ付き衣類。
【請求項４】
内衣のカップ上部布部材と、前記内衣の背布部材とが、前記外衣の袖ぐり部の一部の別々の位置または同位置に縫着されていることを特徴とする請求項１から３のいずれかに記載のカップ付き衣類。
【請求項５】
内衣の前部上部布部材および背布部材は、伸縮性を有する素材で構成されることを特徴とする、請求項１から４のいずれかに記載のカップ付き衣類。